(57)【要約】      （修正有）【課題】血圧の正常範囲は、収縮期血圧の最大値で１４０ｍｍＨｇ以下、拡張期血圧の最大値で８５ｍｍＨｇとされており、この数値以上を、高血圧とし、その高血圧症の患者数は３０００万人以上と言われ、それ自体が病気であるとともに、メタボリックシンドロームの主要素であるため、その高血圧の治療が緊急の課題とされている。【解決手段】生物体内及び生物体外の様々な環境下での水に特定の低周波の微小交流磁界を印加し、プロトンの長距離移動化及び活性化を実現させ、その生物体内及び生物体外の様々な環境下で細胞エネルギー物質のアデノシン三燐酸の生成及び／又は消費を活性化させることにより、生物体内の身体及びその生物体内外有用細菌を活性化、成長促進させる磁気プロトニクス原理に基づく生物生命活性化技術で設計された血圧正常化装置。【選択図】図１
2008061921.tif 000002
【特許請求の範囲】
【請求項１】
生物体内及び生物体外の様々な環境下での水に特定の低周波の微小交流磁界を印加し、プロトンの長距離移動化及び活性化を実現させ、その生物体内及び生物体外の様々な環境下で細胞エネルギー物質のアデノシン三燐酸の生成及び／又は消費を活性化させることにより、生物体内の身体及びその生物体内外有用細菌を活性化、成長促進させる磁気プロトニクス原理に基づく生物生命活性化技術で設計された血圧正常化装置。
【請求項２】
導線コイルとその導線コイルから０．１〜２００Ｈｚの超低周波数、振幅が０．１〜１００マイクロテスラの交流磁界を発生させる電圧発振器とその交流磁界の発生時間を設定するプログラムスイッチより構成されている請求項１に記載の血圧正常化装置。
【請求項３】
導線コイルは、ヘルムホルツコイルより構成されている請求項２に記載の血圧正常化装置。
【請求項４】
一対の導線コイルの各コイルから異なる周波数の磁界を発生する構成とされている請求項２に記載の血圧正常化装置。
【発明の詳細な説明】
【技術分野】
【０００１】
本発明は、生活習慣病である高血圧症を軽減し、または生活習慣病等の病気を予防するために高血圧を下降させ正常血圧へ移行させる技術全般に関する。さらに、生体の免疫能力の増強及び血行の促進を、さらに低血圧を上昇させ正常血圧へ移行させる技術全般に関する。
【背景技術】
【０００２】
例えば、わが国では、正常血圧といわれる血圧の正常範囲は、収縮期血圧の最大値で１４０ｍｍＨｇ以下、拡張期血圧の最大値で８５ｍｍＨｇとされている。この数値以上を、高血圧とし、その高血圧症の患者数は３０００万人以上と言われ、それ自体が病気であるとともに、メタボリックシンドロームの主要素であるため、その高血圧の治療が緊急の課題と考えられている。
【０００３】
そこで、血圧症の治療は、血圧降用薬剤が広く処方されている。しかし、この血圧降用薬剤には、長期服用が必要であり、その副作用として肝臓障害、腎臓障害、目眩やふらつき、眼底出血を併発する場合が多くあり、決して生物にとって、安全、安心な方法とは言えない。したがって、副作用の心配の多いこの血圧降用薬剤による対処療法に代わって、生物生命の総合的活性化による本質的で安心、安全な血圧正常化の方法が必要である。
【０００４】
また、わが国をはじめ全世界で、医療技術の類まれなる進歩のため、超高齢化社会へ突き進んでおり、高齢者の安全、安心な生活を実現する上でも、高血圧症の克服は国の重要課題となっている。
【０００５】
なお、この低周波の微小交流磁界を印加し、プロトンの長距離移動化及び活性化を実現化させる方法及びその装置については、文献（１）として、特開２００３−８８８７３「水分子の導電率の増殖的増加方法およびその装置」が挙げられる。この文献（１）は、水分子に磁界発生装置によって時間毎に増加及び／又は減少させる振幅が０．０１ミリガウスから１００ガウス、周波数が０．０１ヘルツから１メガヘルツの正弦波、三角波、方形波、パルス波の交流極小パルス磁界を印加することにより、水分子の導電率を増殖的に増加させる構成であり、水分子の導電率を増殖的に増加させることができ、健康・医療分野、牧畜や養殖、栽培などにおける成長促進や品質改良などを行う食品・鑑賞分野、水道管の水垢除去や水洗浄、セメントの固化促進などの工業、環境分野などへ貢献を図る効果を有する。また、次に文献（２）として、特開２００５−１１８１０６「水分子の自己組織方法及びその装置」が挙げられ、この文献（２）は、地磁気の１．５倍以上の直流磁界と周波数が２０Ｈｚ以上である交流磁界を重畳して水に印加し水分子を自己組織化させ、直流磁界を増加させることによりサイクロトロン共振を生じる交流磁界の周波数を増加させ、交流送電線下における生体内の水分子のプロトンの移動を長距離化及び生化学反応フロンティアプロトンを活性化することにより、水分子の自己組織化の方法の構成であり、本発明によれば、水分子クラスタの自己組織化サイクロトロン周波数を５０Ｈｚおよび６０Ｈｚ以上に設定することにより、送電線磁界を生体にとって無害化及び有益化でき、生体の免疫力の増強や血行を促進させる効果を有する。
【０００６】
【特許文献１】特開２００３−８８８７３
【特許文献２】特開２００５−１１８１０６
【発明の開示】
【発明が解決しようとする課題】
【０００７】
文献（１）に開示されているような構成は、振幅数の増加及び／又は減少により、水分子の導電率を増殖的に増加させることを目的としている。しかし、この発明は、交流磁界
は、不安定であるため、その増加及び／又は減少が、不安定になり、安定した導電率を確保できない。
【０００８】
また、文献（２）に開示されている構成は、水分子クラスタの自己組織化サイクロトロン周波数を５０Ｈｚおよび６０Ｈｚ以上に設定されているため、それ以下の周波数にできず、周波数の幅が狭く、対応が困難であると考えられる。また、文献（１）、文献（２）ともに、その構成上、高血圧に対しての記述がなく、その高血圧等の血圧症に対しての対応が、不明確である。
【０００９】
本発明は、水分子が介在する液体に交流磁界を印加して導電率が高まった状態では、水分子クラスタが長距離移動化及び活性化されて、この水分子クラスタと結合した、生体ではアデノシン三燐酸の生成が促進されること、細胞の生命活動が活性化されて治療効果が現れると考えられる。
【００１０】
なお、本発明は、水に関する世界初の独創的研究に立脚しており、約２０ｋＪ／ｍｏｌの水分子クラスタの水素結合のエネルギーと約２０ｋＪ／ｍｏｌの生物細胞のエネルギー物質アデノシン三燐酸のエネルギーが一致すること、アデノシン三燐酸のエネルギーに変換されることに着目していること、ミトコンドリア内膜の分子モータＳｙｎｔｈａｓｅではプロトンの流れでアデノシン三燐酸の生成が促進されること、アデノシン三燐酸を添加せずに磁化した超純水内でルシフェリン−ルシフェラーゼ蛍光発光現象が現れることに着目して、生物生命の活性の基盤であるアデノシン三燐酸生成能の向上は、細胞水の中のプロトンの長距離移動化及び活性化、長距離プロトントランスポートで実現できることを提唱している。（Ｍ．Ｆｕｋｕｓｈｉｍａ，Ｔ．Ｋａｔａｏｋａ，Ｙ．Ｓｕｇｉｙａｍａ，Ｋ．Ｍｏｈｒｉ，Ｍｉｌｌｉｇａｕｓｓ  Ｐｕｌｓｅｄ  Ｍａｇｎｅｔｉｃ  Ｆｉｅｌｌｄ  Ａｐｐｌｉｅｄ  Ｐｕｒｅ  Ｗａｔｅｒ  Ｅｘｅｒｔ  Ｆｉｒｅｆｌｙ    Ｌｕｃｉｆｅｒｉｎ−Ｌｕｃｉｆｅｒａｓｅ    Ｌｕｍｉｎｅｓｃｅｎｃｅ  ａｎｄ  Ｉｎｄｕｃｅ  Ｉｎｔｒａｃｅｌｌｕｌａｒ  Ｃａｌｃｉｕｍ  Ｅｌｅｖａｔｉｏｎ  ｏｆ  ＣＨＯ  Ｃｅｌｌｓ  Ｗｉｔｈｏｕｔ  ＡＴＰ，  ＩＥＥＥ  Ｔｒａｎｓａｃｔｉｏｎｓ  ｏｎ  Ｍａｇｎｅｔｉｃｓ，  ｖｏｌ．４１，  ｎｏ．１０，  ｐｐ．４１８８−４１９０，  ２００５．）（Ｍ．  Ｆｕｋｕｓｈｉｍａ，  Ｔ．  Ｋａｔａｏｋａ，  Ｙ．  Ｓｕｇｉｙａｍａ，  Ｋ．  Ｍｏｈｒｉ，  Ｍｉｌｌｉｇａｕｓｓ  Ｐｕｌｓｅｄ  Ｍａｇｎｅｔｉｃ  Ｆｉｅｌｄ  Ａｐｐｌｉｅｄ  Ｐｕｒｅ  Ｗａｔｅｒ  Ｅｘｅｒｔ  Ｆｉｒｅｆｌｙ    Ｌｕｃｉｆｅｒｉｎ−Ｌｕｃｉｆｅｒａｓｅ    Ｌｕｍｉｎｅｓｃｅｎｃｅ  ａｎｄ  Ｉｎｄｕｃｅ  Ｉｎｔｒａｃｅｌｌｕｌａｒ  Ｃａｌｃｉｕｍ  Ｅｌｅｖａｔｉｏｎ  ｏｆ  ＣＨＯ  Ｃｅｌｌｓ  Ｗｉｔｈｏｕｔ  ＡＴＰ，  ＩＥＥＥ  Ｔｒａｎｓａｃｔｉｏｎｓ  ｏｎ  Ｍａｇｎｅｔｉｃｓ，  ｖｏｌ．４１，  ｎｏ．１０，  ｐｐ．４１８８−４１９０，  ２００５．）
そして、この水中のプロトンの長距離移動化及び活性化が、超純水、純水、自然水等の水に超低周波の微小磁界を短時間印加したあと、数時間かけて進行していくこと、電気抵抗率の減少化を提唱した、（Ｋ．  Ｍｏｈｒｉ，  Ｍ．  Ｆｕｋｕｓｈｉｍａ，  Ｍ．  Ｍａｔｓｕｍｏｔｏ，  Ｇｒａｄｕａｌ  Ｄｅｃｒｅａｓｅ  ｏｆ  Ｅｌｅｃｔｒｉｃ  Ｒｅｓｉｓｔｉｖｉｔｙ  ｉｎ  Ｗａｔｅｒ  Ｔｒｉｇｇｅｒｅｄ  ｂｙ  Ｍｉｌｌｉｇａｕｓｓ  Ｌｏｗ  Ｆｒｅｑｕｅｎｃｙ  Ｐｕｌｓｅｄ  Ｍａｇｎｅｔｉｃ  Ｆｉｅｌｄ，  Ｔｒａｎｓａｃｔｉｏｎｓ  ｏｆ  ｔｈｅ  Ｍａｇｎｅｔｉｃｓ  Ｓｏｃｉｅｔｙ  ｏｆ  Ｊａｐａｎ，  ｖｏｌ．１，  ｎｏ．１，  ｐｐ．２２−２６，  ２００１）
そのメカニズムは、水分子クラスタ（Ｈ３０＋（Ｈ２０）ｎ、ｎ＝０，１，２，…）が、地磁気などの直流磁界Ｂｄｃ中でサイクロトロン周波数（ｑＢｄｃ／２πｍｎ，ｎ＝０、１，２…；ｑ：プロトン電荷、ｍｎ：ｎ番目のｍ水分子クラスタの質量）で回転すること、特定のサイクロトロン周波数の磁界を外部から印加すると、同一寸法の水分子クラスタが回転して磁気モーメントによって次第に集合しこれを自己組織化と称するが、それまで一個のクラスタ内に動的に拘束されていたプロトンが隣接クラスタへ移動できる長距離プロトントランスポートが実現されるという独創的原理を確立している（Ｋ．  Ｍｏｈｒｉ，  Ｍ．  Ｆｕｋｕｓｈｉｍａ，  Ｇｒａｄｕａｌ  Ｄｅｃｒｅａｓｉｎｇ  Ｃｈａｒａｃｔｅｒｉｓｔｉｃｓ  ａｎｄ  Ｔｈｅｒｍａｌ  Ｓｔａｂｉｌｉｔｙ  ｏｆ  Ｅｌｅｃｔｒｉｃ  Ｒｅｓｉｓｔｉｖｉｔｙ  ｉｎ  Ｗａｔｅｒ  Ｔｒｉｇｇｅｒｅｄ  ｗｉｔｈ  Ｍｉｌｌｉｇａｕｓｓ  Ｌｏｗ  Ｆｒｅｑｕｅｎｃｙ  ＡＣ  Ｆｉｅｌｄ，  ＩＥＥＥ  Ｔｒａｎｓａｃｔｉｏｎｓ  ｏｎ  Ｍａｇｎｅｔｉｃｓ，  ＩＥＥＥ  Ｔｒａｎｓａｃｔｉｏｎｓ  ｏｎ  Ｍａｇｎｅｔｉｃｓ，  ｖｏｌ．３８，  ｎｏ．５，  ｐｐ．３３５３−３３５５，  ２００２，  Ｋ．  Ｍｏｈｒｉ，  Ｍ．  Ｆｕｋｕｓｈｉｍａ，  Ｍｉｌｌｉｇａｕｓｓ  Ｍａｇｎｅｔｉｃ  Ｆｉｅｌｄ  Ｔｒｉｇｇｅｒｉｎｇ  Ｒｅｌｉａｂｌｅ  Ｓｅｌｆ−Ｏｒｇａｎｉｚａｔｉｏｎ  ｏｆ  Ｗａｔｅｒ  ｗｉｔｈ  Ｌｏｎｇ−Ｒａｎｇｅ  Ｏｒｄｅｒｅｄ  Ｐｒｏｔｏｎ  Ｔｒａｎｓｐｏｒｔ  Ｔｈｒｏｕｇｈ  Ｃｙｃｌｏｔｒｏｎ  Ｒｅｓｏｎａｎｃｅ，  ＩＥＥＥ  Ｔｒａｎｓａｃｔｉｏｎｓ  ｏｎ  Ｍａｇｎｅｔｉｃｓ，  ｖｏｌ．３９，  ｎｏ．５，  ｐｐ．３３２８−３３３０，  ２００３）。
【００１１】
この表を示すと下記のようになる。なお、地磁気Ｂｄｃとして、Ｂｄｃ＝０．５×１０−４テスラ、プロトン電荷（素電荷）ｑとして、ｑ＝１．６０２×１０−１９  クーロンを用い、水分子クラスタＨ３Ｏ＋（Ｈ２Ｏ）ｎの質量ｍをｎ＝０，１，２，３，…に対して用いる。
2008061921.tif 000003
この水のサイクロトロン周波数の磁界による自己組織化によってプロトンが活性化され、生体が細胞レベルで活性化されることは、本発明者らによる「好中球の貪食能の増強効果による免疫能の増強効果」実験によって証明されている。（Ｍ．  Ｆｕｋｕｓｈｉｍａ，  Ｔ．  Ｋａｔａｏｋａ，  Ｋ．  Ｍｏｈｒｉ，  Ｍ．  Ｍａｔｓｕｍｏｔｏ，  Ｍｉｌｌｉｇａｕｓｓ  ｐｕｌｓｅｄ  ｍａｇｎｅｔｉｃ  ｆｉｅｌｄ  ａｐｐｌｉｅｄ  ｐｈｏｓｐｈａｔｅ  ｂｕｆｆｅｒｅｄ  ｓａｌｉｎｅ  ｓｏｌｕｔｉｏｎ  ｅｌｅｖａｔｅｓ  ｉｎｔｒａｃｅｌｌｕｌａｒ  Ｃａ２＋ｌｅｖｅｌ  ａｎｄ  ｓｔｉｍｕｌａｔｅｓ  ｐｈａｇｏｃｙｔｉｃ  ａｃｔｉｖｉｔｙ  ｏｆ  ｈｕｍａｎ  ｎｅｕｔｒｏｐｈｉｌｓ，  Ｔｒａｎｓａｃｔｉｏｎｓ  ｏｆ  ｔｈｅ  Ｍａｇｎｅｔｉｃｓ  Ｓｏｃｉｅｔｙ  ｏｆ  Ｊａｐａｎ，  ｖｏｌ．２，  ｎｏ．２，  ｐｐ．１５−１８，  ２００２）
本発明の血圧正常化装置は、生物体内及び生物体外の様々な環境下での水に特定の低周波の微小交流磁界を印加し、プロトンの長距離移動化及び活性化を実現させ、その生物体内及び生物体外の様々な環境下で細胞エネルギー物質のアデノシン三燐酸の生成及び／又は消費を活性化させることにより、生物体内の身体及びその生物体内外有用細菌を活性化、成長促進させる磁気プロトニクス原理と称される生体活性化原理に立脚し、血圧正常化は血流促進系の活性化で実現できるという原理によって構成される。
【課題を解決するための手段】
【００１２】
請求項１の発明は、下記の［１］〜［３］を達成することを意図する。
［１］  血管系の調節及び活性化は、元より超複雑系の制御であり完全に解明できるものではないが、これまでに得られた知見等の総合的な原理を検討して、有効な原理を確立することは可能であるため、血液循環系の構成要素は、血管細胞、血液細胞、血管制御神経細胞系が中心的要素であり、この固有機能をもつ細胞系等が血管系の調節及び活性化を図ることを意図する。
［２］  また、血液循環系の構成要素は、血管細胞、血液細胞、血管制御神経細胞系が中心的要素であり、この中心的要素の共通的特性は、アデノシン三燐酸のエネルギーを消費して活動している。実際に、血流促進の基本である血管の拡張動作は、アデノシン三燐酸、アデノシンニ燐酸、アデノシンー燐酸で構成され、特にアデノシンでは、その拡張動作において強力な作用があるため、血液細胞の活性化及び好中球の貪食能の増強効果を図ることを意図する。
［３］  この血流促進の活性化が血管系細胞のアデノシン三燐酸生成能の活性化によることに着目してなされたものであるため、磁気プロトニクス原理によって血流促進・高血圧降下を図ることを意図する。
【００１３】
請求項１は、生物体内及び生物体外の様々な環境下での水に特定の低周波の微小交流磁界を印加し、プロトンの長距離移動化及び活性化を実現させ、その生物体内及び生物体外の様々な環境下で細胞エネルギー物質のアデノシン三燐酸の生成及び／又は消費を活性化させることにより、生物体内の身体及びその生物体内外有用細菌を活性化、成長促進させる磁気プロトニクス原理に基づく生物生命活性化技術で設計された血圧正常化装置である。
【００１４】
請求項２の発明は、請求項１の目的を達成すること、この目的を達成するのに最適な交流磁界とプログラムスイッチを提供することを意図する。
【００１５】
請求項２は、導線コイルとその導線コイルから０．１〜２００Ｈｚの超低周波数、振幅が０．１〜１００マイクロテスラの交流磁界を発生させる電圧発振器とその交流磁界の発生時間を設定するプログラムスイッチより構成されている請求項１に記載の血圧正常化装置である。
【００１６】
請求項３の発明は、請求項１の目的を達成すること、この目的を達成するのに最適なコイルを提供することを意図する。
【００１７】
請求項３は、導線コイルは、ヘルムホルツコイルより構成されている請求項２に記載の血圧正常化装置である。
【００１８】
請求項４の発明は、請求項１の目的を達成すること、この目的を達成するのに磁界を亜発生させるコイルを提案することを意図する。
【００１９】
請求項４は、一対の導線コイルの各コイルから異なる周波数の磁界を発生する構成とされている請求項２に記載の血圧正常化装置である。
【発明の効果】
【００２０】
請求項１の発明は、生物体内及び生物体外の様々な環境下での水に特定の低周波の微小交流磁界を印加し、プロトンの長距離移動化及び活性化を実現させ、その生物体内及び生物体外の様々な環境下で細胞エネルギー物質のアデノシン三燐酸の生成及び／又は消費を活性化させることにより、生物体内の身体及びその生物体内外有用細菌を活性化、成長促進させる磁気プロトニクス原理に基づく生物生命活性化技術で設計された血圧正常化装置である。
【００２１】
従って、請求項１は、下記の少なくとも［１］〜［３］を達成できる特徴を有する。
［１］  血管系の調節及び活性化は、元より超複雑系の制御であり完全に解明できるものではないが、これまでに得られた知見等の総合的な原理を検討して、有効な原理を確立することは可能であるため、血液循環系の構成要素は、血管細胞、血液細胞、血管制御神経細胞系が中心的要素であり、この固有機能をもつ細胞系等が血管系の調節及び活性化を図る特徴を有する。
［２］  また、血液循環系の構成要素は、血管細胞、血液細胞、血管制御神経細胞系が中心的要素であり、この中心的要素の共通的特性は、アデノシン三燐酸のエネルギーを消費して活動している。実際に、血流促進の基本である血管の拡張動作は、アデノシン三燐酸、アデノシンニ燐酸、アデノシンー燐酸で構成され、特にアデノシンでは、その拡張動作において強力な作用があるため、血液細胞の活性化及び好中球の貪食能の増強効果を図る特徴を有する。
［３］  この血流促進の活性化が血管系細胞のアデノシン三燐酸生成能の活性化によることに着目してなされたものであるため、磁気プロトニクス原理によって血流促進・高血圧降下を図る特徴を有する。
【００２２】
請求項２の発明は、導線コイルとその導線コイルから０．１〜２００Ｈｚの超低周波数、振幅が０．１〜１００マイクロテスラの交流磁界を発生させる電圧発振器とその交流磁界の発生時間を設定するプログラムスイッチより構成されている請求項１に記載の血圧正常化装置である。
【００２３】
従って、請求項２の発明は、請求項１の目的を達成すること、この目的を達成するのに最適な交流磁界とプログラムスイッチを提供すること等の特徴を有する。
【００２４】
請求項３の発明は、導線コイルは、ヘルムホルツコイルより構成されている特徴とする請求項２に記載の血圧正常化装置である。
【００２５】
従って、請求項３は、請求項１の目的を達成すること、請求項１の目的を達成すること、この目的を達成するのに最適なコイルを提供すること等の特徴を有する。
【００２６】
請求項４の発明は、一対の導線コイルの各コイルから異なる周波数の磁界を発生する構成とされている請求項２に記載の血圧正常化装置である。
【００２７】
従って、請求項４は、請求項１の目的を達成すること、この目的を達成するのに磁界を発生させるコイルを提案できること等の特徴を有する。
【発明を実施するための最良の形態】
【００２８】
本発明の一例を説明する。
【００２９】
以下、図面の説明をすると、図１はプロトニクス原理により、対のプロトニクスコイル
から交流磁界を発生させている斜視図、図２は対のプロトニクスコイルを部屋内に配置し、その磁界を人体に浴びせさている状態を示した斜視図、図３は対のプロトニクスコイルを部屋内に配置し、その磁界を豚に浴びさせている状態を示した斜視図である。
【００３０】
まず、プロトニクス原理について、下記に説明する。図１を参考に説明すると、プロトニクス１とは、プロトンが生物物理化学反応を促進して、有益な物質変換及び／又は物質生成等を行う工学技術のことであり、低周波発生装置２から数ミリガウス、数ヘルツの微小超低周波交流磁界により、水分子クラスタを自己組織させ、活発に活動するプロトン（水素原子核＋）の動きで、生物の細胞を活性化させ、健康増進、養殖、栽培の促進、環境浄化などのバイオインダストリ関連の分野を工学的に推進する新しい生物物理学化学手法である。
【００３１】
そこで、水分子クラスタ構造について説明すると、水分子であるＨ２０の集合体であり、この集合体は、水素結合によりリング形状に結合される。そのリング形状に結合しているクラスタ内をプロトン（陽子）が、１個稼動している。つまり、下記の図のように、この水分子クラスタは、陽子１個の電荷を保持しているので、地磁気（５００ミリガウス）等の直流磁界の中を回転稼動する動きを担う。この回転稼動する動きをサイクロトロン現象といわれる。
2008061921.tif 000004
そして、このサイクロトロン現象により、水分子クラスタが、回転すると、回転電流が発生し、微弱な磁石モーメントの性質を保持することにより、色々の大きさの水分子が、し吸引され、集合する。なお、色々の大きさの水分子が吸引され集合される性質を利用して、特定のクラスタだけを吸引し、集合させることが可能である。つまり、特定の周波数を持つ数ミリガウス、数ヘルツの微小超低周波交流磁界を引加させることにより、特定の大きさの水分子クラスタだけを吸引し、集合させる。
【００３２】
なお、この特定の水分子クラスタで吸引し、集合させることにより、一つのクラスタ内部しか回転稼動していなかったプロトン（陽子）が、いくつものクラスタを超えて動き回すようになり、プロトン（陽子）が活発な水になる。この現象を水分子の自己組織化現象という。
2008061921.tif 000005
よって、サイクロトロン現象、水分子の自己組織化現象等の現象を考慮して、本発明者達が、確立した原理が、プロトニクス原理であり、特定の低周波数を持つ微小交流磁界を作用させることで，特定の大きさの水分子クラスタを結合させ，プロトンがその中を大きく動き回れるようにすることで，水分子そのものを活性化させ、その水分子の活性化により、細胞エネルギー物質のアデノシン三燐酸の生成及び／又は消費を活性化させることにより、生物体内の身体及びその生物体内外有用細菌を活性化、成長促進させる磁気プロトニクス原理と称される生体活性化原理に立脚し、血圧正常化は血流促進系の活性化で実現できると考えられる。下記の原理を図に示す。
2008061921.tif 000006
この原理は、
１．健康・人体機能関連分野においては  生活習慣病，ストレス病、血流関連，免疫力増強、高次機能（記憶・認識），再生医療
２．食関連分野においては  醸造・飲料味
３．動植物関連分野においては  養殖・栽培
４．その他の分野においては  環境変化・水質浄化・食品保存等が挙げられ、その原理は様々な分野において、適用が挙げられる。
【００３３】
なお、プロトニクスに用いられるのは、０．１〜２００Ｈｚの超低周波数、振幅が０．１〜１００マイクロテスラの交流磁界の超低周波微小パルス磁界であるため、プロトニクスも電磁波の一種である。ここで、総務省の電波防護指針及びＩＣＮＩＲＰ（国際非電離放射線防護委員会）、ＩＥＥＥ（電気電子学会）世界基準に置ける一般公衆への曝露基準の比較表を下記に示す。この表のように、プロトニクスは、磁界及び周波数ともに、危険側から程遠く位置しているため、安全上の心配はもちろんなく、生体における何らかの悪影響を及ぼすことも考えられない。
2008061921.tif 000007
よって、これは、図２の示すように、建物内の壁面に対のプロトニクスコイル１を設け、その間に超低周波の磁界１０を発生させ、人体Ａに浴びさせた。なお、その部屋には、人体Ａの血圧を測定するために、血圧計３を複数基配備した。
【００３４】
そして、超低周波磁場による人体への血圧下降作用磁界による血圧に対する効果についての実験結果を詳細に論ずる。
（Ｔ．  Ｎｉｓｈｉｍｕｒａ，  Ｊ．  Ｙａｍａｄａ，  Ｍ．  Ｋａｔｏ，  Ｍ．  Ｓｕｚｕｍｕｒａ，  Ｎ．  Ｈａｒａｔａ，  Ｋ．  Ｍｏｈｒｉ，  Ｓ．  Ｔｅｒａｍｕｋａｉ，  Ｈ．  Ｔａｄａ，Ｍ．  Ｆｕｋｕｓｈｉｍａ（Ｋｙｏｔｏ  Ｕｎｉｖ．，  Ｉｃｈｉｋａｗａ  Ｋｏｕｍｕｔｅｎ  Ｃｏ，  Ａｉｃｈｉ  Ｍｉｃｒｏ  Ｉｎｔｅｌｌｉｇｅｎｔ  Ｃｏ．）
１０７人の成人を対象に（解析対象者：５７人、解析除外：磁気浴回数が４回未満の５０例）で、２００４年３月末〜２００５年３月末に行われたおり、表１に記載のように、その内訳は、解析対象集団の平均年齢は４６．０歳、範囲は２８〜７６歳であった。年代別には、３０歳未満が５．３％、３０歳代が２８．１％、４０歳代が３６．８％、５０歳代が１０．５％、６０歳代が１２．３％、７０歳以上が７．０％であった。磁気浴回数は、中央値が２４回で、２５回以下が５２．６％、２６回〜５０回が１９．３％、５１回〜７５回が５．３％、７６回以上が２２．８％であった。１回あたりの磁気浴時間の中央値は、８．０分で、範囲は２〜１５３分であった。
表１  集団別背景情報
2008061921.tif 000008
磁気浴による降圧作用に関する解析結果として、開始２回の磁気浴前収縮期血圧の平均値が１４０ｍｍＨｇ以上の症例を高血圧群、９０ｍｍＨｇ〜１４０ｍｍＨｇの症例を正常血圧群、９０ｍｍＨｇ未満の症例を低血圧群と定義した。また、開始２回と最後２回の磁気浴前収縮期血圧の平均値から差を求め、下記の表Ａの降圧度判定規準に基づき判定し、高血圧群と正常血圧群の「下降」割合の差をχ２検定を用いて検定した。なお、本調査では、両側ｐ＜０．０５を統計学的に有意とした。
表Ａ  降圧度判定規準
2008061921.tif 000009
そして、この全解析対象集団の解析を行った。全５７例について、磁気浴前、後の収縮期血圧の平均値の経時的変化を図１に示した。磁気浴後は磁気浴前に比べて血圧が下降し、磁気浴前・後とも磁気浴回数を重ねるほど血圧は下降した。
【００３５】
そして、この高血圧群の解析について、高血圧群１７例について、開始２回と最後２回の磁気浴前収縮期血圧の平均値を表２に示した。また、開始２回と最後２回の血圧の平均値の差を、降圧度判定規準に基づき判定した結果、「下降」が３例（１７．７％）、「下降傾向」が７例（４１．２％）、「不変」が６例（３５．３％）、「上昇」が１例（５．９％）となった。（表３）
なお、高血圧群の磁気浴前・後の収縮期血圧の平均値の経時的変化を表４に示した。本サブグループでも磁気浴後は磁気浴前に比べて血圧が下降し、磁気浴前・後とも磁気浴回数を重ねるほど血圧は下降した。
表４  磁気浴前・後の収縮期血圧の平均値の経時的変化（高血圧群）（ｎ＝１７）（１−３２回）
2008061921.tif 000010
正常血圧群の解析について、正常血圧群４０例について、開始２回と最後２回の磁気浴前収縮期血圧の平均値を図５に示した。また、開始２回と最後２回の血圧の平均値の差を、降圧度判定規準に基づき判定した結果、「下降傾向」が３例（７．５％）、「不変」が２８例（７０．０％）、「上昇」が９例（２２．５％）となった（表３）。
【００３６】
磁気浴前・後の収縮期血圧の平均値の経時的変化を表６に示した。本サブグループでも磁気浴後は磁気浴前に比べて血圧が下降したが、回数を重ねることによって血圧が下降する傾向は、高血圧群ほど顕著ではなかった。
表６  磁気浴前・後の収縮期血圧の平均値の経時的変化（正常血圧群）（ｎ＝４０）（１−３２回）
2008061921.tif 000011
さらに、被験者は５分〜１０分程度を目安にコイルの間に入り、磁気浴前と磁気浴後に血圧を測定した（それぞれ連続して３回測定した平均値）。日を置いて繰り返し磁気浴を行うことで血圧の経時的な変化も観察した。
【００３７】
開始２回の磁気浴前収縮期血圧の平均値が１４０ｍｍＨｇ以上の症例を高血圧群、９０ｍｍＨｇ〜１４０ｍｍＨｇの症例を正常血圧群、９０ｍｍＨｇ未満の症例を低血圧群と定義し、この開始２回と最後２回の磁気浴前収縮期血圧の平均値から差を求め、降圧度判定規準（差が−２０以下を「下降」、−２０〜−１０を「下降傾向」、±９を「不変」、１０以上を「上昇」）に基づき判定し、高血圧群と正常血圧群の「下降」割合の差をχ２検定を用いて検定した。なお、本調査では、両側ｐ＜０．０５を統計学的に有意と定義した。
【００３８】
そこでこの方法により、得られた結果は、磁気浴を行った１０７例のうち、磁気浴実施回数が４回以上の５７例を解析対象集団とした。解析対象集団の平均年齢は４６．０歳、範囲は２８〜７６歳であった。年代別には、３０歳未満が５．３％、３０歳代が２８．１％、４０歳代が３６．８％、５０歳代が１０．５％、６０歳代が１２．３％、７０歳以上が７．０％であった。磁気浴回数は、中央値が２４回で、２５回以下が５２．６％、２６回〜５０回が１９．３％、５１回〜７５回が５．３％、７６回以上が２２．８％であった。１回あたりの磁気浴時間の中央値は、８．０分で、範囲は２〜１５３分であった。
【００３９】
高血圧群と正常血圧群の磁気浴前の収縮期血圧の平均値の経時的変化を下記に示した。また、降圧度判定規準に基づき判定した結果、高血圧群では、「下降」が３例「下降傾向」が７例、「不変」が６例、「上昇」が１例となった。一方、正常血圧群では、「下降傾向」が３例、「不変」が２８例、「上昇」が９例となった。高血圧群と正常血圧群の「下降」割合をχ２検定を用いて検定した結果、ｐ＝０．００６となった。
【００４０】
この実験から考察されることは、本実験の限界は対照群がなく、正常血圧群と比べ高血圧群では統計学的に有意に血圧が下降したことから、磁気浴の高血圧群に対する血圧下降作用が示唆される。
【００４１】
高血圧群の磁気浴前・後の収縮期血圧の平均値の経時的変化を表４に示した。本サブグループでも磁気浴後は磁気浴前に比べて血圧が下降し、磁気浴前・後とも磁気浴回数を重ねるほど血圧は下降した。
【００４２】
正常血圧群４０例について、開始２回と最後２回の磁気浴前収縮期血圧の平均値を図５に示した。また、開始２回と最後２回の血圧の平均値の差を、降圧度判定規準に基づき判定した結果、「下降傾向」が３例（７．５％）、「不変」が２８例（７０．０％）、「上昇」が９例（２２．５％）となった（表３）。
【００４３】
表３  降圧度判定規準による判定結果
2008061921.tif 000012
磁気浴前・後の収縮期血圧の平均値の経時的変化を図６に示した。本サブグループでも磁気浴後は磁気浴前に比べて血圧が下降したが、回数を重ねることによって血圧が下降する傾向は、高血圧群ほど顕著ではなかった。
【００４４】
なお、高血圧群と正常血圧群の下降割合の比較すると、高血圧群と正常血圧群の降圧度判定規準に基づく「下降」割合の差をχ２検定を用いて検定した結果、ｐ＝０．００６となり、統計学的に有意な結果となった。
【００４５】
また、磁気浴の安全性を検討するため、高血圧群で磁気浴を１４回以上行った１０例にアンケート調査を行った。アンケート調査の内容は、高血圧診断歴、降圧薬の服用の有無、磁気浴中の変化、磁気浴を継続することによる変化、磁気浴を止めた理由を調査した。１０例中４例が高血圧診断歴があり、そのうち１例が時々降圧薬を服用していた。２例が磁気浴中、手足にしびれを感じたが、それ以外には有害事象は認められなかった。
【００４６】
安全性に関するアンケート調査結果
2008061921.tif 000013
その考察では、本調査では磁気浴回数が個人毎に一定ではなく、比較対照となる群（対照群）がないため磁気浴の有効性を評価することは困難である。しかし、解析対象集団全体では、磁気浴後の収縮期血圧は磁気浴前に比べて下降傾向を示し、さらに、回数を重ねることで収縮期血圧が下降する傾向がみられた。この降圧作用は、高血圧集団で顕著であったことから、磁気浴の高血圧群に対する降圧作用が示唆された。本調査では、低血圧群（１００ｍｍＨｇ未満）が含まれなかったため、低血圧群への効果は評価できなかった。しかし、開始２回の平均収縮期血圧が１２０ｍｍＨｇ未満の複数の症例で血圧が上昇していることから、磁気浴の低血圧群に対する血圧上昇効果の可能性も考えられる。安全性に関しては、アンケート調査を行った１０例中２例が磁気浴中に手足のしびれを感じたが、他の有害事象は報告されなかった。今後、磁気浴の有効性と安全性をより厳密に評価するために、ランダム化比較試験が必要であると考えられる。
【００４７】
参考資料として、ローレンス・Ｍ・ティアニーＪｒ，  スティーブン・Ｊ・ミックフィ，  マキシン・Ａ・パパダキス．  カレント・メディカル  診断と治療，  ４３版．  東京：  日経ＢＰ社，  ２００４；  ４１２，  ４７１．宇部興産株式会社，  三共株式会社．  カルブロック（アゼルニジピン）及びカルブロック錠８ｍｇ・１６ｍｇに関する資料．ｐ３４４．  （新薬承認申請資料概要）
なお、補足として、より厳密に磁気浴の降圧作用を評価するため、降圧剤の治験で用いられている手法で解析を行った。具体的には、開始２回と最後２回の収縮期血圧の平均値からその血圧の差を求め、「降圧度判定規準」に基づき判定し、比較する２群の「下降」割合の差をχ２検定を用いて検定した。それに伴い、図２、図５の回数も２回に変更した。
【００４８】
降圧剤の服用状況把握のためと磁気浴の安全性評価のため、アンケート調査結果を追記した。
【００４９】
表１  磁気浴前・後の収縮期血圧の平均値の経時的変化（解析対象集団全体）（ｎ＝５７）（１〜３２回）
2008061921.tif 000014
表２  開始２回と最後２回の磁気浴前収縮期血圧の平均値（高血圧群）
2008061921.tif 000015
表５  開始２回と最後２回の磁気浴前収縮期血圧の平均値（正常血圧群）
2008061921.tif 000016
また、今回の実験に基づいては、人体を対象にして、このプロトニクス原理を用い、その血圧の測定を行っている。しかし、その対象を拡充し、人体以外の動物に関しても、このプロトニクス原理は有益であり、動物でも発症する高血圧等の様々な病気を治療するために用いられることも可能である。図３に見られるように、プロトニクスコイル１を畜舎等の壁面に設けてあり、このプロトニクスコイル１により発生する磁界１０を豚Ｂに対して浴びさせている。これにより、人体と同じような効果が期待できる。
【図面の簡単な説明】
【００５０】
【図１】図１はプロトニクス原理により、対のプロトニクスコイルから交流磁界を発生させている斜視図、
【図２】図２は対のプロトニクスコイルを部屋内に配置し、その磁界を人体に浴びせさている状態を示した斜視図、
【図３】図３は対のプロトニクスコイルを部屋内に配置し、その磁界を豚に浴びさせている状態を示した斜視図
【符号の説明】
【００５１】
１            プロトニクスコイル
２            低周波発生装置
３            血圧計
１０          磁界
Ａ            人体
Ｂ            豚
【図１】
2008061921.tif 000017
【図２】
2008061921.tif 000018
【図３】
2008061921.tif 000019